【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
ＨＡＲＱプロセスを用いてデータを送信する送信装置であって、
ビットシーケンス（ｉ１ｑ１ｉ２ｑ２）に関して、ｉ１およびｑ１と、ｉ２およびｑ２の位置を交換し、ｉ１とｑ１の論理値を反転して、並び替えたビットシーケンスを生成する並び替え部と、
前記並び替えたビットシーケンスを変調マッパによって１６ＱＡＭにマッピングするマッピング部と、
を有する。
【請求項２】
データを前記並び替えたビートシーケンスとして送信する送信部、
をさらに有する請求項１記載の送信装置。
【請求項３】
前記マッピング部は、さらに、
前記ビットシーケンス（ｉ１ｑ１ｉ２ｑ２）を前記変調マッパによって１６ＱＡＭにマッピングし、
当該装置は、
（ａ）第１のデータを前記ビットシーケンス（ｉ１ｑ１ｉ２ｑ２）として送信し、（ｂ）第２のデータを前記並び替えたビートシーケンスとして送信する送信部、
をさらに有する請求項１記載の送信装置。
【請求項４】
前記並び替え部は、さらに、
前記ビットシーケンス（ｉ１ｑ１ｉ２ｑ２）に関して、（ａ）ｉ１およびｑ１と、ｉ２およびｑ２の位置を交換すること、（ｂ）ｉ１およびｑ１と、ｉ２およびｑ２の位置を交換し、ｉ２とｑ２の論理値を反転すること、および（ｃ）ｉ２とｑ２の論理値を反転すること、の少なくとも１つを行う、
請求項１から請求項３のいずれかに記載の送信装置。
【請求項５】
ＨＡＲＱプロセスを用いてデータを送信する送信装置であって、
（ａ）第１のデータをビットシーケンス（ｉ１ｑ１ｉ２ｑ２）として送信し、（ｂ）第２のデータを並び替えたビートシーケンスとして送信する送信部、を有し、
前記並び替えたビットシーケンスは、変調マッパによる１６ＱＡＭへのマッピング前に、前記ビットシーケンス（ｉ１ｑ１ｉ２ｑ２）に関して、ｉ１およびｑ１と、ｉ２およびｑ２の位置を交換し、ｉ１とｑ１の論理値を反転することによって生成される。
【請求項６】
前記並び替えたビットシーケンスは、１６ＱＡＭへのマッピング前に、前記ビットシーケンス（ｉ１ｑ１ｉ２ｑ２）に関して、（ａ）ｉ１およびｑ１と、ｉ２およびｑ２の位置を交換すること、（ｂ）ｉ１およびｑ１と、ｉ２およびｑ２の位置を交換し、ｉ２とｑ２の論理値を反転すること、および（ｃ）ｉ２とｑ２の論理値を反転すること、の少なくとも１つを行うことによって生成される、
請求項５記載の送信装置。
【請求項７】
前記並び替え部は、
前記ビットシーケンス（ｉ１ｑ１ｉ２ｑ２）に対して、前記ビットシーケンスの各ビットに対するビット信頼性が前記ＨＡＲＱプロセスによって平均化されるようにする、
請求項１から請求項４のいずれかに記載の送信装置。
【請求項８】
ＨＡＲＱプロセスを用いてデータを送信する送信方法であって、
ビットシーケンス（ｉ１ｑ１ｉ２ｑ２）に関して、ｉ１およびｑ１と、ｉ２およびｑ２の位置を交換し、ｉ１とｑ１の論理値を反転して、並び替えたビットシーケンスを生成する工程と、
前記並び替えたビットシーケンスを変調マッパによって１６ＱＡＭにマッピングする工程と、
を有する。
【請求項９】
データを前記並び替えたビートシーケンスとして送信する工程、
をさらに有する請求項８記載の送信方法。
【請求項１０】
前記ビットシーケンス（ｉ１ｑ１ｉ２ｑ２）を前記変調マッパによって１６ＱＡＭにマッピングする工程と、
第１のデータを前記ビットシーケンスとして送信する工程と、
第２のデータを前記並び替えたビートシーケンスとして送信する工程と、
をさらに有する請求項８または請求項９に記載の送信方法。
【請求項１１】
ＨＡＲＱプロセスを用いてデータを送信する送信方法であって、
第１のデータをビットシーケンス（ｉ１ｑ１ｉ２ｑ２）として送信する工程と、
第２のデータを並び替えたビートシーケンスとして送信する工程と、を有し、
前記並び替えたビットシーケンスは、変調マッパによる１６ＱＡＭへのマッピング前に、前記ビットシーケンス（ｉ１ｑ１ｉ２ｑ２）に関して、ｉ１およびｑ１と、ｉ２およびｑ２の位置を交換し、ｉ１とｑ１の論理値を反転することによって生成される。
【請求項１２】
請求項１から請求項７のいずれかに記載の送信装置によって送信されたデータを受信する受信部、
を有する受信装置。
【請求項１３】
請求項８から請求項１１のいずれかに記載の送信方法によって送信されたデータを受信する工程、
を有する受信方法。
【請求項１４】
ＨＡＲＱプロセスを用いて送信されたデータを受信する受信装置であって、
並び替えたビットシーケンスとして送信されたデータを受信する受信部と、
受信したデータを復調する復調部と、を有し、
前記並び替えたビットシーケンスは、ビットシーケンス（ｉ１ｑ１ｉ２ｑ２）に関して、ｉ１およびｑ１と、ｉ２およびｑ２の位置を交換し、ｉ１とｑ１の論理値を反転することによって生成される。
【請求項１５】
前記受信したデータの前記並び替えたビットシーケンスを並び替える並び替え部、
をさらに有する請求項１４記載の受信装置。
【請求項１６】
前記並び替えたビットシーケンス（ｉ１ｑ１ｉ２ｑ２）に関して、ｉ１およびｑ１と、ｉ２およびｑ２の位置を交換し、ｉ２とｑ２の論理値を反転する並び替え部、
をさらに有する請求項１４記載の受信装置。
【請求項１７】
前記受信したデータとその前に受信したデータとを合成する合成部、
をさらに有する請求項１４から請求項１６のいずれかに記載の受信装置。
【請求項１８】
前記受信部は、さらに、
前記ビットシーケンス（ｉ１ｑ１ｉ２ｑ２）として送信されたデータを受信し、
当該装置は、
前記並び替えたビットシーケンスとして送信されたデータと、前記ビットシーケンス（ｉ１ｑ１ｉ２ｑ２）として送信されたデータとを合成する合成部、
をさらに有する請求項１４から請求項１６のいずれかに記載の受信装置。
【請求項１９】
ＨＡＲＱプロセスを用いて送信されたデータを受信する受信方法であって、
並び替えたビットシーケンスとして送信されたデータを受信する工程と、
受信したデータを復調する工程と、を有し、
前記並び替えたビットシーケンスは、ビットシーケンス（ｉ１ｑ１ｉ２ｑ２）に関して、ｉ１およびｑ１と、ｉ２およびｑ２の位置を交換し、ｉ１とｑ１の論理値を反転することによって生成される。
【請求項２０】
前記受信したデータの前記並び替えたビットシーケンスを並び替える工程、
をさらに有する請求項１９記載の受信方法。
【請求項２１】
前記並び替えたビットシーケンス（ｉ１ｑ１ｉ２ｑ２）に関して、ｉ１およびｑ１と、ｉ２およびｑ２の位置を交換し、ｉ２とｑ２の論理値を反転する工程、
をさらに有する請求項１９記載の受信方法。
【請求項２２】
前記受信したデータとその前に受信したデータとを合成する工程、
をさらに有する請求項１９から請求項２１のいずれかに記載の受信方法。
【請求項２３】
前記ビットシーケンス（ｉ１ｑ１ｉ２ｑ２）として送信されたデータを受信する工程と、
前記並び替えたビットシーケンスとして送信されたデータと、前記ビットシーケンス（ｉ１ｑ１ｉ２ｑ２）として送信されたデータとを合成する工程、
をさらに有する請求項１９から請求項２１のいずれかに記載の受信方法。
【請求項２４】
請求項１から請求項７のいずれかに記載の送信装置と、
前記送信装置によって送信されたデータを受信する受信部を有する受信装置と、
を有する送信システム。
【手続補正２】
【補正対象書類名】明細書
【補正対象項目名】発明の名称
【補正方法】変更
【補正の内容】
【発明の名称】送信装置および受信装置
【手続補正３】
【補正対象書類名】明細書
【補正対象項目名】０００１
【補正方法】変更
【補正の内容】
【０００１】
本発明は、送信装置および受信装置に関し、特に、通信システムにおけるＡＲＱ再送信におけるビットシーケンス修正方法に関する。
【手続補正４】
【補正対象書類名】明細書
【補正対象項目名】００２０
【補正方法】変更
【補正の内容】
【００２０】
したがって、本発明の目的は、パラメータ化されたビット・ツー・シンボルマッピング装置を持つことなく、より高い誤り訂正能力を有することができる送信装置および受信装置を提供することである。
【手続補正５】
【補正対象書類名】明細書
【補正対象項目名】００２１
【補正方法】変更
【補正の内容】
【００２１】
本発明の送信装置は、ＨＡＲＱプロセスを用いてデータを送信する送信装置であって、当該装置は、ビットシーケンス（ｉ１ｑ１ｉ２ｑ２）に関して、ｉ１およびｑ１と、ｉ２およびｑ２の位置を交換し、ｉ１とｑ１の論理値を反転して、並び替えたビットシーケンスを生成する並び替え部と、前記並び替えたビットシーケンスを変調マッパによって１６ＱＡＭにマッピングするマッピング部と、を有する、構成を採る。
本発明の受信装置は、ＨＡＲＱプロセスを用いて送信されたデータを受信する受信装置であって、当該装置は、並び替えたビットシーケンスとして送信されたデータを受信する受信部と、受信したデータを復調する復調部と、を有し、前記並び替えたビットシーケンスは、ビットシーケンス（ｉ１ｑ１ｉ２ｑ２）に関して、ｉ１およびｑ１と、ｉ２およびｑ２の位置を交換し、ｉ１とｑ１の論理値を反転することによって生成される、構成を採る。